(57)【要約】【課題】物流及び資産の管理を効率的に行えるシステムの提供が望まれていた。【解決手段】物品の検収が完了したことを示す検収情報を受信する検収情報受信部と、物品の建設仮勘定データを資産管理システムに送信することを要求する建仮送信要求を受け付ける建仮送信要求受付部と、建仮送信要求に示される物品の検収情報が検収情報受信部によって受信されている場合、建仮送信要求に示される物品の建設仮勘定データを資産管理システムに送信し、建仮送信要求が示す物品の検収情報が検収情報受信部によって受信されていない場合、建仮送信要求に示される物品の建設仮勘定データを資産管理システムに送信しない建仮送信部とを備える物品管理システムを提供する。【選択図】図３
2018013884.tif 000002
【特許請求の範囲】
【請求項１】
物品の検収が完了したことを示す検収情報を受信する検収情報受信部と、
物品の建設仮勘定データを資産管理システムに送信することを要求する建仮送信要求を受け付ける建仮送信要求受付部と、
前記建仮送信要求に示される物品の検収情報が前記検収情報受信部によって受信されている場合、前記建仮送信要求に示される物品の建設仮勘定データを資産管理システムに送信し、前記建仮送信要求が示す物品の検収情報が前記検収情報受信部によって受信されていない場合、前記建仮送信要求に示される物品の建設仮勘定データを資産管理システムに送信しない建仮送信部と
を備える物品管理システム。
【請求項２】
物品が入庫された実績を示す入庫実績データを受信する入庫データ受信部と、
物品の入庫実績データが前記入庫データ受信部によって受信されている場合、前記物品に対する検収完了登録を受け付け、物品の入庫実績データが前記入庫データ受信部によって受信されていない場合、前記物品に対する検収完了登録を受け付けない検収完了登録部と、
物品の検収情報を前記検収情報受信部に送信することを要求する検収送信要求を受け付ける検収送信要求受付部と、
前記検収送信要求に示される物品に対する検収完了登録が前記検収完了登録部によって受け付けられている場合、前記検収送信要求に示される物品の検収情報を前記検収情報受信部に送信し、前記検収送信要求に示される物品に対する検収完了登録が前記検収完了登録部によって受け付けられていない場合、前記検収送信要求に示される物品の検収情報を前記検収情報受信部に送信しない検収送信部と
を備える、請求項１に記載の物品管理システム。
【請求項３】
物品が入庫された実績を示す入庫実績データを受信する入庫データ受信部と、
物品の検収情報を前記検収情報受信部に送信することを要求する検収送信要求を受け付ける検収送信要求受付部と、
前記検収送信要求に示される物品の入庫実績データが前記入庫データ受信部によって受信されている場合、前記検収送信要求に示される物品の検収情報を前記検収情報受信部に送信し、前記検収送信要求に示される物品の入庫実績データが前記入庫データ受信部によって受信されていない場合、前記検収送信要求に示される物品の検収情報を前記検収情報受信部に送信しない検収送信部と
をさらに備える、請求項１に記載の物品管理システム。
【請求項４】
前記物品を識別する個品ＩＤ、前記物品の移動元を示す移動元情報及び前記物品の移動先を示す移動先情報を含む移動管理情報を生成する移動管理情報生成部と、
前記物品に付された前記個品ＩＤを含むコードを読み取った携帯通信端末から、前記個品ＩＤを受信する個品ＩＤ受信部と、
前記個品ＩＤを受信したことに応じて、前記個品ＩＤを含む前記移動管理情報に含まれる前記移動元情報及び前記移動先情報を前記携帯通信端末に送信する移動管理情報送信部と
をさらに備える、請求項３に記載の物品管理システム。
【請求項５】
前記入庫データ受信部は、前記携帯通信端末から前記入庫実績データを受信する、請求項４に記載の物品管理システム。
【請求項６】
前記移動管理情報生成部は、前記建設仮勘定データが前記資産管理システムに送信された、計上後の前記物品の前記個品ＩＤと、計上後の前記物品の移動元を示す移動元情報と、計上後の前記物品の移動先を示す移動先情報とを含む計上後の移動管理情報を生成し、
前記移動管理情報送信部は、前記計上後の移動管理情報が生成された前記物品が、前記移動先に入庫された実績を示す入庫実績データを前記入庫データ受信部が受信したことに応じて、前記個品ＩＤ及び前記移動先情報を前記資産管理システムに送信する、請求項４又は５に記載の物品管理システム。
【請求項７】
前記移動管理情報生成部は、型式が同一の複数の前記物品の個品ＩＤと、前記移動元情報及び前記移動先情報とを含む前記移動管理情報を生成する、請求項４から６のいずれか一項に記載の物品管理システム。
【請求項８】
前記移動管理情報生成部は、前記物品の型式を識別する情報と、前記移動元情報及び前記移動先情報とを含み、前記個品ＩＤを含まない移動管理情報を生成する、請求項４から７のいずれか一項に記載の物品管理システム。
【請求項９】
コンピュータを、請求項１から８のいずれか一項に記載の物品管理システムとして機能させるためのプログラム。
【発明の詳細な説明】
【技術分野】
【０００１】
本発明は、物品管理システム及びプログラムに関する。
【背景技術】
【０００２】
建設現場に搬入される部品・機器の入荷、保管、出庫の状況を電子データとして管理する物流管理システムが知られていた（例えば、特許文献１参照）。
［先行技術文献］
［特許文献］
［特許文献１］特開２００４−２０６６１７号公報
【発明の概要】
【発明が解決しようとする課題】
【０００３】
物流及び資産の管理を効率的に行えるシステムの提供が望まれていた。
【課題を解決するための手段】
【０００４】
本発明の第１の態様によれば、物品管理システムが提供される。物品管理システムは、物品の検収が完了したことを示す検収情報を受信する検収情報受信部を備えてよい。物品管理システムは、物品の建設仮勘定データを資産管理システムに送信することを要求する建仮送信要求を受け付ける建仮送信要求受付部を備えてよい。物品管理システムは、建仮送信要求に示される物品の検収情報が検収情報受信部によって受信されている場合、建仮送信要求に示される物品の建設仮勘定データを資産管理システムに送信し、建仮送信要求が示す物品の検収情報が検収情報受信部によって受信されていない場合、建仮送信要求に示される物品の建設仮勘定データを資産管理システムに送信しない建仮送信部を備えてよい。
【０００５】
上記物品管理システムは、物品が入庫された実績を示す入庫実績データを受信する入庫データ受信部と、物品の入庫実績データが上記入庫データ受信部によって受信されている場合、上記物品に対する検収完了登録を受け付け、物品の入庫実績データが上記入庫データ受信部によって受信されていない場合、上記物品に対する検収完了登録を受け付けない検収完了登録部と、物品の検収情報を上記検収情報受信部に送信することを要求する検収送信要求を受け付ける検収送信要求受付部と、上記検収送信要求に示される物品に対する検収完了登録が上記検収完了登録部によって受け付けられている場合、上記検収送信要求に示される物品の検収情報を上記検収情報受信部に送信し、上記検収送信要求に示される物品に対する検収完了登録が上記検収完了登録部によって受け付けられていない場合、上記検収送信要求に示される物品の検収情報を上記検収情報受信部に送信しない検収送信部とを備えてよい。上記物品管理システムは、物品が入庫された実績を示す入庫実績データを受信する入庫データ受信部と、物品の検収情報を上記検収情報受信部に送信することを要求する検収送信要求を受け付ける検収送信要求受付部と、上記検収送信要求に示される物品の入庫実績データが上記入庫データ受信部によって受信されている場合、上記検収送信要求に示される物品の検収情報を上記検収情報受信部に送信し、上記検収送信要求に示される物品の入庫実績データが上記入庫データ受信部によって受信されていない場合、上記検収送信要求に示される物品の検収情報を上記検収情報受信部に送信しない検収送信部とをさらに備えてよい。上記物品管理システムは、上記物品を識別する個品ＩＤ、上記物品の移動元を示す移動元情報及び上記物品の移動先を示す移動先情報を含む移動管理情報を生成する移動管理情報生成部と、上記物品に付された上記個品ＩＤを含むコードを読み取った携帯通信端末から、上記個品ＩＤを受信する個品ＩＤ受信部と、上記個品ＩＤを受信したことに応じて、上記個品ＩＤを含む上記移動管理情報に含まれる上記移動元情報及び上記移動先情報を上記携帯通信端末に送信する移動管理情報送信部とをさらに備えてよい。上記入庫データ受信部は、上記携帯通信端末から上記入庫実績データを受信してよい。
【０００６】
上記移動管理情報生成部は、上記建設仮勘定データが上記資産管理システムに送信された、計上後の上記物品の上記個品ＩＤと、計上後の上記物品の移動元を示す移動元情報と、計上後の上記物品の移動先を示す移動先情報とを含む計上後の移動管理情報を生成してよく、上記移動管理情報送信部は、上記計上後の移動管理情報が生成された上記物品が、上記移動先に入庫された実績を示す入庫実績データを上記入庫データ受信部が受信したことに応じて、上記個品ＩＤ及び上記移動先情報を上記資産管理システムに送信してよい。上記移動管理情報生成部は、型式が同一の複数の上記物品の個品ＩＤと、上記移動元情報及び上記移動先情報とを含む上記移動管理情報を生成してよい。上記移動管理情報生成部は、上記物品の型式を識別する情報と、上記移動元情報及び上記移動先情報とを含み、上記個品ＩＤを含まない移動管理情報を生成してよい。
【０００７】
本発明の第２の態様によれば、コンピュータを、上記物品管理システムとして機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】物品管理システム１００の一例を概略的に示す。
【図２】物品管理システム１００の処理の流れの一例を概略的に示す。
【図３】物品管理システム１００の処理の流れの一例を概略的に示す。
【図４】物流管理部１１０の機能構成の一例を概略的に示す。
【図５】検収管理部１３０の機能構成の一例を概略的に示す。
【図６】経理処理部１４０の機能構成の一例を概略的に示す。
【図７】携帯通信端末５００による表示例を概略的に示す。
【図８】携帯通信端末５００による表示例を概略的に示す。
【図９】ラベル３２の一例を概略的に示す。
【図１０】物品管理システム１００として機能するコンピュータ１０００の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、物品管理システム１００の一例を概略的に示す。物品管理システム１００は、物流管理部１１０、検収管理部１３０及び経理処理部１４０を有する。本実施形態に係る物品管理システム１００は、例えば基地局４０等の建造物を建造する際に用いられる物品３０を管理する。なお、ここでは主に基地局４０を建造する例を挙げて説明するが、対象とする建造物は基地局４０に限らない。
【００１２】
物品３０は、例えば、製造元６０から物品管理システム１００の使用者の倉庫２０に納品された後、建設現場である基地局４０に移動される。物流管理部１１０は、物品３０の物流管理を実行する。検収管理部１３０は、物品３０の検収管理を実行する。経理処理部１４０は、物品３０の経理管理を実行する。以下、物品管理システム１００による処理の流れを概略的に説明する。
【００１３】
物流管理部１１０は、物品３０の発注を管理する発注管理システム２００から、製造元６０に対して発注された物品３０の発注情報を受信する。物流管理部１１０は、発注情報を受信したことに応じて、物品３０に、物品３０を識別する個品ＩＤを割り当てる。
【００１４】
物流管理部１１０は、個品ＩＤを含む２次元コード３４を含むラベル３２のデータを生成する。物流管理部１１０は、例えば、Ｗｅｂサービス等によって、製造元６０がラベル３２のデータを受信可能な状態にしてよい。
【００１５】
物流管理部１１０は、物品３０の個品ＩＤと、物品３０の移動元である移動元情報と、物品３０の移動先である移動先情報とを含む移動管理情報を生成する。物流管理部１１０は、例えば、オペレータ等の指示に従って移動管理情報を生成する。物品３０が製造元６０から倉庫２０に納品される状況にある場合、物流管理部１１０は、物品３０の個品ＩＤと、製造元６０を示す移動元情報と、倉庫２０を示す移動先情報とを含む移動管理情報を生成してよい。物品３０が倉庫２０から他の倉庫に移動される状況にある場合、物流管理部１１０は、物品３０の個品ＩＤと、倉庫２０を示す移動元情報と、当該他の倉庫を示す移動先情報とを含む移動管理情報を生成してよい。物品３０が倉庫２０から基地局４０に移動される状況にある場合、物流管理部１１０は、物品３０の個品ＩＤと、倉庫２０を示す移動元情報と、基地局４０を示す移動先情報とを生成してよい。
【００１６】
製造元６０は、ラベル３２のデータを、Ｗｅｂサービス等を介して受信して、当該データを用いてラベル３２を生成してよい。製造元６０は、物品３０にラベル３２を貼り付けて、倉庫２０に納品してよい。なお、貼り付けに限らず、製造元６０は、例えば、ラベル３２のデータを物品３０に印字してもよい。
【００１７】
物品３０が倉庫２０に入庫されたことの実績は、携帯通信端末５００を用いることによって立てられてよい。物品３０が倉庫２０から出庫されたことの実績も、携帯通信端末５００を用いることによって立てられてよい。携帯通信端末５００は、例えば、物品３０を納品した配送業者の担当者が使用する端末である。携帯通信端末５００は、倉庫２０の担当者が使用する端末であってもよい。携帯通信端末５００は、例えば、スマートフォン等の携帯電話である。携帯通信端末５００は、タブレット端末であってもよい。携帯通信端末５００は、物品管理専用の端末であってもよい。
【００１８】
携帯通信端末５００は、物品３０の個品ＩＤを含む移動管理情報の表示処理を実行してよい。例えば、まず、携帯通信端末５００は、２次元コード３４を読み取ることによって取得した物品３０の個品ＩＤを物流管理部１１０に送信する。そして、携帯通信端末５００は、送信した個品ＩＤを含む移動管理情報に含まれる移動元情報及び移動先情報を物流管理部１１０から受信して表示する。これにより、携帯通信端末５００の使用者は、物品３０の予定されている移動先を把握することができる。
【００１９】
携帯通信端末５００は、物品３０の入庫実績を立てる処理を実行する。携帯通信端末５００は、２次元コード３４を読み取ることによって取得した物品３０の個品ＩＤと、入庫実績の登録要求とを、使用者の指示に従って物流管理部１１０に送信する。物流管理部１１０は、登録要求に応じて、受信した個品ＩＤによって識別される物品３０が、当該個品ＩＤを含む移動管理情報に含まれる移動先情報が示す移動先に入庫されたことを示す入庫実績を登録する。そして、物流管理部１１０は、物品３０が倉庫２０に入庫された実績を示す入庫実績データを検収管理部１３０に送信する。
【００２０】
携帯通信端末５００は、物品３０の出庫実績を立てる処理を実行する。携帯通信端末５００は、２次元コード３４を読み取ることによって取得した物品３０の個品ＩＤと、出庫実績の登録要求とを、使用者の指示に従って物流管理部１１０に送信する。物流管理部１１０は、登録要求に応じて、受信した個品ＩＤによって識別される物品３０が、当該個品ＩＤを含む移動管理情報に含まれる移動元情報が示す移動元から出庫されたことを示す出庫実績を登録する。
【００２１】
倉庫２０に入庫された物品３０は、検収担当者によって検収される。検収管理部１３０は、物品３０の検収が完了したことを示す検収完了登録を受け付けてよく、検収完了登録を受け付けた場合に、当該物品３０のステータスを検収完了として管理してよい。ここで、検収管理部１３０は、物品３０の入庫実績データを受信していた場合、当該物品３０に対する検収完了登録を受け付けてよく、物品３０の入庫実績データを受信していない場合、当該物品３０に対する検収完了登録を受け付けなくてよい。検収管理部１３０は、検収担当者又はオペレータ等の指示に従って、物品３０の検収が完了したことを示す検収情報を経理処理部１４０に送信する。ここで、検収管理部１３０は、物品３０の検収情報を経理処理部１４０に送信することを要求する検収送信要求を受け付けた場合に、検収送信要求に示される物品３０の検収完了登録を受け付けていた場合、検収情報を経理処理部１４０に送信し、検収送信要求に示される物品３０の検収完了登録を受け付けていなかった場合、検収情報を経理処理部１４０に送信しないように動作する。これにより、入庫実績が立てられていない物品３０の検収情報が誤って経理処理部１４０に送信されてしまうことを防止できる。なお、検収管理部１３０は、物品３０の検収情報を経理処理部１４０に送信することを要求する検収送信要求を受け付けた場合に、検収送信要求に示される物品３０の入庫実績データを受信していた場合、検収情報を経理処理部１４０に送信し、検収送信要求に示される物品３０の入庫実績データを受信していなかった場合、検収情報を経理処理部１４０に送信しないように動作してもよい。
【００２２】
経理処理部１４０は、経理担当者又はオペレータ等の指示に従って、物品３０の建設仮勘定データを資産管理システム３００に送信する。ここで、経理処理部１４０は、物品３０の建設仮勘定データを資産管理システム３００に送信することを要求する建仮送信要求を受け付けた場合に、建仮送信要求に示される物品３０の検収情報を受信していた場合、物品３０の建設仮勘定データを資産管理システム３００に送信し、建仮送信要求に示される物品３０の検収情報を受信していなかった場合、物品３０の建設仮勘定データを資産管理システム３００に送信しないように動作する。これにより、検収が完了していない物品３０の建設仮勘定データが誤って資産管理システム３００に送信されてしまうことを防止できる。
【００２３】
上述したように、検収管理部１３０が、物流管理部１１０から入庫実績データを受信したことを条件に検収完了登録を受け付け、かつ、検収完了登録を受け付けたことを条件に検収情報を経理処理部１４０に送信し、経理処理部１４０が、検収管理部１３０から検収情報を受信したことを条件に建設仮勘定データを資産管理システム３００に送信する構成とすることにより、物流と資産管理とを適切に連携させることができる。
【００２４】
物流管理部１１０は、物品３０の入庫実績を登録した場合に、物品３０を用いて建設される建設物の建設工程を管理する工程管理システム４００に、物品３０の個品ＩＤと、物品３０が移動された移動先を示す移動先情報とを送信してよい。物流管理部１１０は、物品３０の出庫実績を登録した場合に、工程管理システム４００に、物品３０の個品ＩＤと、物品３０が移動された移動元を示す移動元情報とを送信してよい。これにより、工程管理システム４００は、物品３０の状況を適切に把握することができる。
【００２５】
物品管理システム１００、発注管理システム２００、資産管理システム３００、工程管理システム４００及び携帯通信端末５００は、ネットワーク１０を介して通信してよい。ネットワーク１０は、インターネット及び電話網を含んでよい。物品管理システム１００、発注管理システム２００、資産管理システム３００及び工程管理システム４００は、企業内ＬＡＮ等を介してネットワーク１０に接続されてもよい。物流管理部１１０、検収管理部１３０及び経理処理部１４０は、別々の装置によって実現されてよいが、一の装置によって実現されてもよい。物品管理システム１００は、物流管理部１１０を含まなくてもよい。また、物品管理システム１００は、物流管理部１１０及び検収管理部１３０を含まなくてもよい。また、物流管理部１１０は、工程管理システム４００を含んでもよい。
【００２６】
図２は、物品管理システム１００の処理の流れの一例を概略的に示す。図２では、物品３０の発注、入庫、倉庫検収、建設仮勘定計上の流れを概略的に示す。
【００２７】
ステップ（ステップをＳと省略して記載する場合がある。）２０２では、発注管理システム２００が、製造元６０に対して発注を行う。Ｓ２０４では、発注管理システム２００が、発注情報を物流管理部１１０に送信する。物流管理部１１０は、発注情報を受信したことに応じて、ラベル３２のデータを生成してよい。物流管理部１１０は、製造元６０が生成したラベル３２のデータを受信可能な状態にしてよい。
【００２８】
Ｓ２０６では、物品３０が倉庫２０に入庫される。物流管理部１１０は、携帯通信端末５００から、物品３０の入庫登録要求を受信して、入庫登録を行う。Ｓ２０８では、物流管理部１１０が、物品３０の入庫実績データを検収管理部１３０に送信する。
【００２９】
Ｓ２１０では、検収担当者によって、物品３０の倉庫検収が行われる。検収管理部１３０は、物品３０の入庫実績データを受信していることを条件に、検収担当者又はオペレータ等からの物品３０の検収完了登録を受け付ける。検収管理部１３０は、検収担当者又はオペレータ等から、物品３０の検収情報を経理処理部１４０に送信することを要求する検収送信要求を受け付ける。Ｓ２１２では、検収管理部１３０が、検収送信要求に示される物品３０の検収完了登録を受け付けていることを条件に、物品３０の検収情報を経理処理部１４０に送信する。
【００３０】
Ｓ２１４では、経理担当者によって、物品３０の経理処理が行われる。経理処理部１４０は、経理担当者又はオペレータ等から、物品３０の建設仮勘定データを資産管理システム３００に送信することを要求する建仮送信要求を受け付ける。Ｓ２１６では、経理処理部１４０が、建仮送信要求に示される物品３０の検収情報が受信されていることを条件に、物品３０の建設仮勘定データを資産管理システム３００に送信することによって、物品３０の建設仮勘定を計上する。Ｓ２１８では、経理処理部１４０が、物品３０の建設仮勘定が計上されたことを示すデータを物流管理部１１０に送信することによって、物品３０の建設仮勘定ステータスの同期を行う。Ｓ２２０では、資産管理システム３００が、物品３０の建設仮勘定を登録する。
【００３１】
Ｓ２２２では、物品３０が他の倉庫に移動される。物品３０は、移動先の倉庫において、入庫実績が立てられる。物流管理部１１０は、物品３０の入庫登録が完了した場合に、移動先情報を資産管理システム３００に送信する。これにより、倉庫検収後に物品３０が他の倉庫に移動された場合に、資産管理システム３００の情報を更新することができ、資産管理システム３００による資産管理の信頼性を高めることができる。
【００３２】
図３は、物品管理システム１００の処理の流れの一例を概略的に示す。図３では、物品３０の基地局４０への入庫、工事検収、建設仮勘定計上の流れを概略的に示す。
【００３３】
Ｓ２３２では、物品３０が基地局４０に入庫される。物流管理部１１０は、携帯通信端末５００から、物品３０の入庫登録要求を受信して、入庫登録を行う。Ｓ２３４では、物流管理部１１０が、物品３０の入庫実績データを検収管理部１３０に送信する。
【００３４】
Ｓ２３６では、検収担当者によって、物品３０の工事検収が行われる。検収管理部１３０は、物品３０の入庫実績データを受信していることを条件に、検収担当者又はオペレータ等からの物品３０の検収完了登録を受け付ける。検収管理部１３０は、検収担当者又はオペレータ等から、物品３０の検収情報を経理処理部１４０に送信することを要求する検収送信要求を受け付ける。Ｓ２３８では、検収管理部１３０が、検収送信要求に示される物品３０の検収完了登録を受け付けていることを条件に、物品３０の検収情報を経理処理部１４０に送信する。
【００３５】
Ｓ２４０では、経理担当者によって、物品３０の経理処理が行われる。経理処理部１４０は、経理担当者又はオペレータ等から、物品３０の建設仮勘定データを資産管理システム３００に送信することを要求する建仮送信要求を受け付ける。Ｓ２４２では、経理処理部１４０が、建仮送信要求に示される物品３０の検収情報が受信されていることを条件に、建設仮勘定データを資産管理システム３００に送信することによって、物品３０の建設仮勘定を計上する。
【００３６】
Ｓ２４４では、物品３０の建設仮勘定が計上されたことを示すデータを物流管理部１１０に送信することによって、物品３０の建設仮勘定ステータスの同期を行う。Ｓ２４６では、資産管理システム３００が、物品３０の建設仮勘定を登録する。Ｓ２４８では、資産管理システム３００が、基地局４０の建設完了後、物品３０について、固定資産への振り替えを行う。Ｓ２５０では、資産管理システム３００が、物品３０について、固定資産への振り替えが行われたことを示すデータを物流管理部１１０に送信することによって、物品３０の固定資産ステータスの同期を行う。これにより、物流管理部１１０において、物品３０の固定資産管理の情報を把握することができ、資産管理の信頼性を高めることができる。
【００３７】
図４は、物流管理部１１０の機能構成の一例を概略的に示す。物流管理部１１０は、情報格納部１１２、発注情報受信部１１４、移動管理情報生成部１１６、個品ＩＤ受信部１１８、移動管理情報送信部１２０、入出庫登録要求受信部１２２、入庫データ送信部１２４及び工程管理送信部１２６を備える。なお、物流管理部１１０がこれらのすべての構成を備えることは必須とは限らない。
【００３８】
情報格納部１１２は、各種情報を格納する。情報格納部１１２は、物品３０の情報を格納してよい。情報格納部１１２は、物品３０の入庫登録状況及び出庫登録状況を格納してよい。情報格納部１１２は、物流管理部１１０上で発生したエラーメッセージ及び作業ログ等の情報を格納してよい。
【００３９】
発注情報受信部１１４は、発注管理システム２００から発注情報を受信する。情報格納部１１２は、発注情報受信部１１４が受信した発注情報を格納する。
【００４０】
個品ＩＤ管理部１１５は、発注情報が示す物品３０に対して、個品ＩＤを割り当てる。個品ＩＤ管理部１１５は、発注情報の有無に係わらず、任意の物品３０に対して個品ＩＤを割り当ててもよい。個品ＩＤ管理部１１５は、例えば、物流管理部１１０のオペレータ等の指示に従って物品３０に対して個品ＩＤを割り当てる。情報格納部１１２は、発注情報と個品ＩＤとを対応付けて格納してよい。
【００４１】
移動管理情報生成部１１６は、物品３０の個品ＩＤ、物品３０の移動元情報及び物品３０の移動先情報を含む移動管理情報を生成する。移動元情報及び移動先情報は、物流管理部１１０のオペレータ等によって入力されてよい。情報格納部１１２は、移動管理情報生成部１１６によって生成された移動管理情報を格納する。
【００４２】
移動管理情報生成部１１６は、物品３０の種類を示す型式が同一の複数の物品３０の個品ＩＤと、移動元情報及び移動先情報とを含む移動管理情報を生成してよい。また、移動管理情報生成部１１６は、物品３０の型式を識別する情報と、移動元情報及び移動先情報とを含む、個品ＩＤを含まない移動管理情報を生成してよい。これにより、ある種の物品３０を１つだけ移動させたいという要求に応じた移動管理情報を生成することができる。
【００４３】
例えば、同じ種類の複数の物品３０が倉庫に配置されている状況において、そのうちの１つを移動させたい場合に、個品ＩＤを含む移動管理情報が生成されると、複数の物品３０のうちから、当該個品ＩＤに対応する物品３０を探し出して移動させなければならない。例えば、当該個品ＩＤに対応する物品３０が倉庫の奥に配置されている場合、倉庫の奥から物品３０を取り出さなければならなくなる。それに対し、型式を識別する情報を含み、個品ＩＤを含まない移動管理情報が生成された場合、同種の複数の物品３０のうちから、移動させやすい物品３０を移動させればよくなり、物流作業を効率化することができる。
【００４４】
個品ＩＤ受信部１１８は、携帯通信端末５００から個品ＩＤを受信する。移動管理情報送信部１２０は、個品ＩＤ受信部１１８が個品ＩＤを受信したことに応じて、当該個品ＩＤを含む移動管理情報に含まれる移動元情報及び移動先情報を携帯通信端末５００に送信してよい。
【００４５】
入出庫登録要求受信部１２２は、携帯通信端末５００から物品３０の入庫登録要求を受信する。入出庫登録要求受信部１２２は、受信した入庫登録要求に従って、物品３０の入庫登録を行ってよい。入出庫登録要求受信部１２２は、携帯通信端末５００から出庫登録要求を受信する。入出庫登録要求受信部１２２は、受信した出庫登録要求に従って、物品３０の出庫登録を行ってよい。
【００４６】
入庫データ送信部１２４は、入出庫登録要求受信部１２２が物品３０の入庫登録要求を受信したことに応じて、物品３０の入庫実績データを検収管理部１３０に送信する。
【００４７】
工程管理送信部１２６は、入出庫登録要求受信部１２２が物品３０の入庫登録要求を受信したことに応じて、物品３０の移動先情報と、物品３０の個品ＩＤとを工程管理システム４００に送信する。工程管理送信部１２６は、入出庫登録要求受信部１２２が物品３０の出庫登録要求を受信したことに応じて、物品３０の移動元情報と、物品３０の個品ＩＤとを工程管理システム４００に送信する。
【００４８】
経理情報受信部１２８は、物品３０の建設仮勘定が計上されたことを示すデータを経理処理部１４０から受信する。また、経理情報受信部１２８は、物品３０についての固定資産への振り替えが行われたことを示すデータを経理処理部１４０から受信する。情報格納部１１２は、経理情報受信部１２８が受信したデータを格納する。
【００４９】
情報出力部１２９は、情報格納部１１２に格納されている情報を出力する。情報出力部１２９は、例えば、物品３０の個品ＩＤを受信した場合に、当該個品ＩＤを含む移動管理情報の履歴データを出力する。これにより、物品３０がどの移動管理情報によって管理され、どのように移動されたかの履歴を容易に確認可能とすることができる。情報出力部１２９は、物流管理部１１０上で発生したエラーメッセージ及び作業ログ等の情報を出力してもよい。情報出力部１２９は、各種情報を表示出力してよい。例えば、情報出力部１２９は、物流管理部１１０がディスプレイを備える場合に、当該ディスプレイに表示出力する。また、情報出力部１２９は、各種情報を送信出力してよい。例えば、ネットワーク１０を介して情報の出力要求を受信した場合に、情報出力部１２９は、ネットワーク１０を介して情報を送信してよい。
【００５０】
物流は、物品３０の種類毎、物品３０を取り扱う部門毎、地域毎、製造元６０毎等で異なるシステムを利用して管理される場合があるが、その場合、システム間の連携をとることが難しく、在庫の把握等が困難になる場合があった。それに対して、本実施形態に係る物流管理部１１０によれば、物流を統一的に管理することができるので、在庫の把握等を容易にすることができる。
【００５１】
図５は、検収管理部１３０の機能構成の一例を概略的に示す。検収管理部１３０は、情報格納部１３２、入庫データ受信部１３４、検収完了登録受付部１３５、検収送信要求受付部１３６及び検収送信部１３８を備える。情報格納部１３２は、各種情報を格納する。
【００５２】
入庫データ受信部１３４は、入庫データ送信部１２４によって送信された入庫実績データを受信する。情報格納部１３２は、入庫データ受信部１３４が受信した入庫実績データを格納する。
【００５３】
検収完了登録受付部１３５は、物品３０の検収完了登録を受け付ける。検収完了登録受付部１３５は、物品３０の入庫実績データを受信がされている場合、当該物品３０に対する検収完了登録を受け付けてよく、物品３０の入庫実績データが受信されていない場合、当該物品３０に対する検収完了登録を受け付けなくてよい。例えば、検収完了登録受付部１３５は、物品３０の入庫実績データが受信されている場合、当該物品３０の検収完了登録を受け付ける検収完了ボタンを押下可能に制御し、物品３０の入庫実績データが受信されていない場合、物品３０の検収完了ボタンを押下不可能に制御する。情報格納部１３２は、検収完了登録受付部１３５が物品３０の検収完了登録を受け付けた場合、当該物品３０の個品ＩＤに、検収完了を示すデータを対応付けて格納してよい。
【００５４】
検収送信要求受付部１３６は、物品３０の検収情報を経理処理部１４０に送信することを要求する検収送信要求を受け付ける。検収送信要求受付部１３６は、例えば、検収管理部１３０が備える不図示の入力デバイスを介して、検収管理部１３０のオペレータ等によって入力された検収送信要求を受け付ける。また、検収送信要求受付部１３６は、例えば、任意の端末から送信された検収送信要求を受信する。
【００５５】
検収送信部１３８は、検収送信要求受付部１３６が受信した検収送信要求に示される物品３０の検収送信登録が検収完了登録受付部１３５によって受け付けられている場合、検収送信要求に示される物品３０の検収情報を経理処理部１４０に送信してよく、検収送信要求受付部１３６が受信した検収送信要求に示される物品３０の検収送信登録が検収完了登録受付部１３５によって受け付けられていない場合、検収送信要求に示される物品３０の検収情報を経理処理部１４０に送信しなくてよい。また、検収送信部１３８は、検収送信要求受付部１３６が受信した検収送信要求に示される物品３０の入庫実績データが、入庫データ受信部１３４によって受信されて情報格納部１３２に格納されている場合、検収送信要求に示される物品３０の検収情報を経理処理部１４０に送信してよく、検収送信要求受付部１３６が受信した検収送信要求に示される物品３０の入庫実績データが、入庫データ受信部１３４によって受信されていない場合、検収送信要求に示される物品３０の検収情報を経理処理部１４０に送信しなくてよい。
【００５６】
図６は、経理処理部１４０の機能構成の一例を概略的に示す。経理処理部１４０は、情報格納部１４２、検収情報受信部１４４、建仮送信要求受信部１４６及び建仮送信部１４８を備える。情報格納部１４２は、各種情報を格納する。
【００５７】
検収情報受信部１４４は、検収送信部１３８によって送信された検収情報を受信する。情報格納部１４２は、検収情報受信部１４４が受信した検収情報を格納する。
【００５８】
建仮送信要求受信部１４６は、物品３０の建設仮勘定データを資産管理システム３００に送信することを要求する建仮送信要求を受け付ける。建仮送信要求受信部１４６は、例えば、経理処理部１４０が備える不図示の入力デバイスを介して、経理処理部１４０のオペレータ等によって入力された建仮送信要求を受け付ける。また、建仮送信要求受信部１４６は、例えば、任意の端末から送信された建仮送信要求を受信する。
【００５９】
建仮送信部１４８は、建仮送信要求受信部１４６が受信した建仮送信要求に示される物品３０の検収情報が、検収情報受信部１４４によって受信されて情報格納部１４２に格納されている場合、建仮送信要求に示される物品３０の建設仮勘定データを資産管理システム３００に送信し、建仮送信要求受信部１４６が受信した建仮送信要求に示される物品３０の検収情報が、検収情報受信部１４４によって受信されていない場合、建仮送信要求に示される物品３０の建設仮勘定データを資産管理システム３００に送信しない。
【００６０】
図７は、携帯通信端末５００による表示例を概略的に示す。携帯通信端末５００は、個品ＩＤ読込／入力ボタン５１２、チケットＩＤ入力ボタン５１４、伝票番号読込／入力ボタン５１６、個品基本情報出力ボタン５１８及び個品ＩＤ溜め込みボタン５２０を表示してよい。
【００６１】
携帯通信端末５００は、個品ＩＤ読込／入力ボタン５１２が選択された場合、個品ＩＤの読込／入力モードに移行してよい。個品ＩＤの読込／入力モードでは、携帯通信端末５００は、個品ＩＤの入力を受け付ける状態になるとともに、携帯通信端末５００が備える不図示の撮像部を起動してよい。携帯通信端末５００は、入力された個品ＩＤ又は読み込んだ２次元コード３４を変換して取得した個品ＩＤによって識別される物品３０を含む移動管理情報に含まれる個品ＩＤによって識別される物品３０について、使用者の指示に従って、入庫実績登録又は出庫実績登録を行ってよい。
【００６２】
携帯通信端末５００は、チケットＩＤ入力ボタン５１４が選択された場合、チケットＩＤ入力モードに移行してよい。チケットＩＤは、移動管理情報を識別する情報であってよい。チケットＩＤ入力モードでは、携帯通信端末５００は、チケットＩＤの入力を受け付ける状態になってよい。携帯通信端末５００は、入力されたチケットＩＤによって識別される移動管理情報に含まれる個品ＩＤによって識別される物品３０について、使用者の指示に従って、入庫実績登録又は出庫実績登録を行ってよい。
【００６３】
携帯通信端末５００は、伝票番号読込／入力ボタン５１６が選択された場合、伝票番号読込／入力モードに移行してよい。伝票番号読込／入力モードでは、携帯通信端末５００は、伝票番号の入力を受け付ける状態になるとともに、携帯通信端末５００が備える不図示の撮像部を起動してよい。携帯通信端末５００は、入力された伝票番号又は読み込んだ伝票番号に対応する複数のチケットＩＤを表示してよい。携帯通信端末５００は、複数のチケットＩＤのうち、選択されたチケットＩＤによって識別される移動管理情報に含まれる個品ＩＤによって識別される物品３０について、使用者の指示に従って、入庫実績登録又は出庫実績登録を行ってよい。
【００６４】
携帯通信端末５００は、個品基本情報出力ボタン５１８が選択された場合、その後に入力された個品ＩＤ又は読み込んだ２次元コード３４を変換することによって取得した個品ＩＤを物流管理部１１０に送信して、当該個品ＩＤに対応する情報を受信して出力してよい。
【００６５】
携帯通信端末５００は、個品ＩＤ溜め込みボタン５２０が選択された場合、携帯通信端末５００が備える不図示の撮像部を起動してよい。携帯通信端末５００は、２次元コード３４を読み込んだ場合に、２次元コード３４を解析してテキストデータに変換し、当該テキストデータを含むリストを生成してよい。リストは任意の形式で生成されてよく、例えば、ＣＳＶ（Ｃｏｍｍａ−Ｓｅｐａｒａｔｅｄ  Ｖａｌｕｅｓ）ファイルであってよい。携帯通信端末５００は、さらに２次元コード３４を読み込んだ場合、２次元コード３４を解析してテキストデータに変換し、当該テキストデータがリストに含まれていなければ、当該テキストデータをリストに追加する。携帯通信端末５００は、当該リストを添付ファイルとして電子メールに添付してよく、使用者の指示に従って、電子メールを送信してよい。
【００６６】
図８は、携帯通信端末５００による表示例を概略的に示す。図８は、チケットＩＤが選択された場合の表示例を示す。携帯通信端末５００は、チケット情報欄５３２、個品ＩＤ欄５３４、入出庫実績登録欄５３６、その他欄５４６及びメーカー修理チケット作成ボタン５５０を表示してよい。
【００６７】
チケット情報欄５３２は、チケットＩＤと、チケットＩＤによって識別される移動管理情報に含まれる移動元情報及び移動先情報とを含んでよい。個品ＩＤ欄５３４は、チケットＩＤによって識別される移動管理情報に含まれる個品ＩＤを含んでよい。
【００６８】
入出庫実績登録欄５３６は、入出庫実績に関連する情報を含んでよい。入出庫実績登録欄５３６は、例えば、型式版数欄５４０、予定数欄５４２及び登録ボタン５４４を含む。携帯通信端末５００は、登録ボタン５４４が選択された場合に、入庫実績登録又は出庫実績登録を行うための画面を表示させてよい。その他欄５４６は、チケットＩＤに対応付けて登録された任意のテキストを表示するコメント欄を含んでよい。
【００６９】
メーカー修理チケット作成ボタン５５０が選択された場合、携帯通信端末５００は、物品３０の修理を当該物品３０の製造元に依頼するべく、物品３０を製造元に移動させるための移動管理情報の一種であるメーカー修理チケットを作成してよい。メーカー修理チケットは、移動先情報として、物品３０の製造元を示す情報を含んでよい。また、メーカー修理チケットは、移動元情報として、故障が発生した場所を示す情報を含んでよい。メーカー修理チケットは、メーカー修理チケット作成ボタン５５０が選択された際に表示しているチケットのチケットＩＤを含んでよい。メーカー修理チケットは、製造元への物品３０の出庫予定日、出庫実施日、製造元への入庫予定日及び修理日数等の情報を含んでよい。携帯通信端末５００は、作成したメーカー修理チケットを、物流管理部１１０に送信してよい。
【００７０】
携帯通信端末５００がメーカー修理チケットを作成する機能を有さない場合、故障した物品３０の製造元への移動が非効率的になる場合がある。例えば、倉庫内の担当者が故障した物品３０を受け取った場合、担当者は、携帯通信端末５００を用いて倉庫への入庫実績を登録する。ついで、物品３０を製造元に移動させることになるが、担当者は、携帯通信端末５００によって移動管理情報を生成することができないので、物流管理部１１０のオペレータに連絡したり、物流管理部１１０を操作可能な場所まで移動したりして、移動管理情報を生成することになる。そしてさらに、携帯通信端末５００を用いて出庫実績を登録した上で、物品３０をトラックに積み込むことになる。それに対して、携帯通信端末５００によってメーカー修理チケットを作成可能とすることにより、担当者は、物流管理部１１０のオペレータに連絡したり、物流管理部１１０を操作可能な場所まで移動したりすることなく、作業を進めることができる。
【００７１】
図９は、ラベル３２の一例を概略的に示す。ラベル３２には、２次元コード３４に加えて、物品３０に関する各種情報が印字されてよい。図９の例では、ラベル３２には、物品３０の、管轄会社名、製造元名、個品ＩＤ、種別、型式名、型式ＩＤ、型番、シリアルナンバー、版数、製造日、中古品であるか否か、箱数及びメモが印字されている。ラベル３２には、これらの全てが印字されなくてもよく、また、これら以外の情報が印字されてもよい。メモとしては、例えば、個品ＩＤに対応付けて情報格納部１１２に格納されている任意のテキストが印字されてよい。このように自由記入欄を設けることによって、印字内容の自由度を高めることができる。
【００７２】
図１０は、経理処理部１４０として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、ＤＶＤドライブ１０７０及び入出力チップ１０８０を有する入出力部を備える。
【００７３】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００７４】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００７５】
ＲＯＭ１０２０は、コンピュータ１０００が起動時に実行するブート・プログラム及びコンピュータ１０００のハードウエアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００７６】
ＲＡＭ１０３０を介してハードディスクドライブ１０５０に提供されるプログラムは、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００７７】
コンピュータ１０００にインストールされ、コンピュータ１０００を経理処理部１４０として機能させるプログラムは、ＣＰＵ１０１０などに働きかけて、コンピュータ１０００を、経理処理部１４０の各部としてそれぞれ機能させてよい。これらのプログラムに記述された情報処理は、コンピュータ１０００に読込まれることにより、ソフトウエアと上述した各種のハードウエア資源とが協働した具体的手段である情報格納部１４２、検収情報受信部１４４、建仮送信要求受信部１４６及び建仮送信部１４８として機能する。そして、これらの具体的手段によって、本実施形態におけるコンピュータ１０００の使用目的に応じた情報の演算又は加工を実現することにより、使用目的に応じた特有の経理処理部１４０が構築される。
【００７８】
検収管理部１３０として機能するコンピュータも、コンピュータ１０００と同一の構成を有してよい。物流管理部１１０として機能するコンピュータも、コンピュータ１０００と同一の構成を有してよい。物流管理部１１０、検収管理部１３０及び経理処理部１４０を一のコンピュータによって実現する場合も、当該コンピュータはコンピュータ１０００と同一の構成を有してよい。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８１】
１０  ネットワーク、２０  倉庫、３０  物品、３２  ラベル、３４  ２次元コード、４０  基地局、６０  製造元、１００  物品管理システム、１１０  物流管理部、１１２  情報格納部、１１４  発注情報受信部、１１５  個品ＩＤ管理部、１１６  移動管理情報生成部、１１８  個品ＩＤ受信部、１２０  移動管理情報送信部、１２２  入出庫登録要求受信部、１２４  入庫データ送信部、１２６  工程管理送信部、１２８  経理情報受信部、１２９  情報出力部、１３０  検収管理部、１３２  情報格納部、１３４  入庫データ受信部、１３５  検収完了登録受付部、１３６  検収送信要求受付部、１３８  検収送信部、１４０  経理処理部、１４２  情報格納部、１４４  検収情報受信部、１４６  建仮送信要求受信部、１４８  建仮送信部、２００  発注管理システム、３００  資産管理システム、４００  工程管理システム、５００  携帯通信端末、５１２  個品ＩＤ読込／入力ボタン、５１４  チケットＩＤ入力ボタン、５１６  伝票番号読込／入力ボタン、５１８  個品基本情報出力ボタン、５２０  個品ＩＤ溜め込みボタン、５３２  チケット情報欄、５３４  個品ＩＤ欄、５３６  入出庫実績登録欄、５４０  型式版数欄、５４２  予定数欄、５４４  登録ボタン、５４６  その他欄、５５０  メーカー修理チケット作成ボタン、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
2018013884.tif 000003
【図２】
2018013884.tif 000004
【図３】
2018013884.tif 000005
【図４】
2018013884.tif 000006
【図５】
2018013884.tif 000007
【図６】
2018013884.tif 000008
【図７】
2018013884.tif 000009
【図８】
2018013884.tif 000010
【図９】
2018013884.tif 000011
【図１０】
2018013884.tif 000012